(57)【特許請求の範囲】
【請求項１】
シャッターカーテン下端に設けた鋼製上枠と、
該上枠内に設けたテープスイッチと、
該上枠に対して上下動自在に設けた鋼製下枠と、
該下枠内に設けられ、下枠が上枠に対して上動することで、テープスイッチを押圧する作動手段と、
を有し、
前記作動手段は、テープスイッチの長さ方向に間隔を存して複数の押圧部を有しており、各押圧部はテープスイッチに局所的に接触する接触面を備えている、
シャッター装置の座板スイッチ。
【請求項２】
前記作動手段は、上下方向に弾性変形可能である、請求項１に記載の座板スイッチ。
【請求項３】
前記押圧部は、テープスイッチの横幅方向に延出する揺動板から構成されている、請求項１，２いずれかに記載の座板スイッチ。
【請求項４】
前記座板スイッチの上枠は、シャッターカーテン下端の座板の下面に取り付けてある、請求項１乃至３いずれかに記載の座板スイッチ。
【請求項５】
前記シャッター装置は、防火用シートシャッター装置であり、
前記シャッターカーテンには、スクリーンドアが設けてあり、
前記シャッターカーテン下端の座板はスクリーンドアの下側のドア枠を構成している、
請求項４に記載の座板スイッチ。
【発明の詳細な説明】
【技術分野】
【０００１】
本発明は、シャッター装置の座板スイッチに係り、好ましくは、防火用シートシャッター装置の防火スクリーンの座板に設けられる障害物検知スイッチの構造に関するものである。
【背景技術】
【０００２】
防火用シートシャッターでは、開口部全閉状態において避難用開口部を設ける必要があるため、防火スクリーンに開閉自在のスクリーンドアを形成して避難用開口部を構成したウォークスルーシステムが採用されている。ウォークスルーシステムにおいては、防火スクリーンの下端の座板が、スクリーンドアの下側のドア枠を兼ねる構造となっているため、座板高さをできるだけ低く抑えて、避難時の通過性を確保する必要がある。
【０００３】
ここで、座板には、障害物検知ためのスイッチを設ける必要があるが、座板高さを低く抑えるために、座板底面に障害物との接触を検知するためのテープスイッチを取り付ける構造が採用される（テープスイッチからなる検知スイッチ自体については特許文献１に開示されている）。そして、テープスイッチ自体は樹脂製であり、防火性能において好ましくないため、テープスイッチの部分を防火スクリーンと同様の耐火シートで覆うことで防火性を確保している。
【０００４】
しかしながら、防火スクリーン下端を耐火シートで覆っているため、開口部全開時において、開口部上方のまぐさ部に納まった状態での、防火スクリーン下端部の見栄えが悪いという不具合があった。また、上記テープスイッチを耐火シートで覆うことで構成された座板スイッチでは、耐火シートが柔軟性を有しているので座板スイッチ自体が柔軟性を有しており、座板スイッチに障害物が当接した場合には、テープスイッチが局所的に押圧されて、障害物検知信号が生成される。テープスイッチで障害物検知を行うためには、テープスイッチを局所的に押圧することが有利であり、したがって、座板スイッチの障害物検知性能を落とすことなく、耐火シートを用いずにテープスイッチを有する座板スイッチを構成するには、いかにしてテープスイッチを局所的に押圧するかが課題となる。
【特許文献１】実用新案登録第２５３９０１５号
【発明の開示】
【発明が解決しようとする課題】
【０００５】
本発明は、座板スイッチの障害物検知性能や防火性能を落とすことなく、開口部全開時における開口部上方のまぐさ部に納まった状態での、シャッターカーテン下端部の意匠性を向上させることを目的とするものである。本発明の他の目的は、耐火シートを用いずに、テープスイッチを局所的に押圧することができる構成を備えた座板スイッチを提供することにある。
【課題を解決するための手段】
【０００６】
本発明が採用したシャッター装置の座板スイッチは、シャッターカーテン下端に設けた鋼製上枠と、該上枠内に設けたテープスイッチと、該上枠に対して上下動自在に設けた鋼製下枠と、該下枠内に設けられ、下枠が上枠に対して上動することで、テープスイッチを押圧する作動手段と、を有し、前記作動手段は、テープスイッチの長さ方向に間隔を存して複数の押圧部を有しており、各押圧部はテープスイッチに局所的に接触する接触面を備えている。
【０００７】
好ましい態様では、前記作動手段は、上下方向に弾性変形可能である。作動手段を、上下方向に弾性変形可能とするには、作動手段の少なくとも一部を弾性部材から構成すればよい。このような弾性部材としては、板ばねやコイルばね等のバネ、弾性ゴムが例示される。作動手段は、複数の部材から構成しても、あるいは、一つの部材から構成してもよい。一つの態様では、作動手段は、複数の作動体から構成され、複数の作動体をテープスイッチの長さ方向に間隔を存して配設すると共に、各作動体が少なくとも一つの押圧部を備えている。他の態様では、作動手段は、テープスイッチの長さ方向に延出する一つの作動体から構成され、作動体には、テープスイッチの長さ方向に間隔を存して複数の押圧部が形成されている。作動手段を構成する弾性部と押圧部とを一つの部材から一体形成してもよいが、一つの態様では、作動手段は、上下方向に弾性変形可能な弾性部材と、該弾性部に支承される押圧部材とからなる。一つの好ましい態様では、前記押圧部は、テープスイッチの横幅方向に延出する揺動板から構成されている。
【０００８】
一つの好ましい態様では、前記座板スイッチの上枠は、シャッターカーテン下端の座板の下面に取り付けてある。さらに、好ましくは、前記シャッター装置は、防火用シートシャッター装置であり、前記シャッターカーテンには、スクリーンドアが設けてあり、前記シャッターカーテン下端の座板はスクリーンドアの下側のドア枠を構成している。後述する実施形態では、既存の座板の下面に取り付けた座板スイッチを開示するが、本発明に係る座板スイッチの上枠と下枠がシャッターカーテン下端の座板を構成するものでもよい。
【発明の効果】
【０００９】
(1)テープスイッチを用いることで座板スイッチの高さを低く抑えることができる。特に、上枠が固定される座板がスクリーンドアのドア下枠を構成する場合において、良好な通過性を確保することができる。
(2)テープスイッチを上下の鋼製枠体で覆うようにしたので、開口部全開時においては、従来のシートで覆う場合に比べて意匠性に優れ、開口部全閉時においては、鋼製の枠体がテープスイッチを保護することで防火性も良好である。
(3)作動手段は、テープスイッチの長さ方向に間隔を存して複数の押圧部を有しているので、テープスイッチを局所的に押圧することになり、より小さい力でより確実にテープスイッチによる検知ができる。一方、作動手段を、上下方向に弾性変形可能としたものでは、局所的に過度の押圧力が作用してテープスイッチが破損することを防止している。
(4)作動手段は、上下方向に弾性変形可能であるで、開口部全閉時における座板スイッチの高さを低く抑えることができる。
(5)押圧部を、テープスイッチの横幅方向に延出する揺動板から構成するものでは、座板スイッチに障害物が片当たり（斜め方向から当たる）したような場合であっても、より確実にテープスイッチを押圧することができる。
【発明を実施するための最良の形態】
【００１０】
図１は、本発明に係る座板スイッチが適用される防火用シートシャッター装置の全体正面図である。建物内の所定の開口部の側部にはガイドレール１が対向状に立設されており、当該開口部の上方部にはシャッターケース２が設けてあり、シャッターケース２内には開口幅方向に延出する巻取シャフト３が設けてある。巻取シャフト３には、火災時に開口部を閉鎖する防火スクリーン４の上端が連結されており、通常時には、防火スクリーン４は巻取シャフト３に巻装された状態でシャッターケース２内に収容されており、開口部は全開状態にある。
【００１１】
通常時には、巻取シャフト３の回転は図示しないブレーキ手段によって規制されている。火災時には、図示しない煙感知器からの防災信号を受信した自動閉鎖装置によってブレーキ手段が解除されて巻取シャフト３の回転が回転可能となって、防火スクリーン４が、その両端をガイドレール１に案内されながら自重で降下して開口部を全閉する。降下した防火スクリーン４は、開閉機５によって巻取シャフト３を回転させて、巻取シャフト３に巻き取ることで、開口部を全開する。
【００１２】
防火スクリーン４には避難用開口が形成されていると共に、防火スクリーン４の本体シート４０には当該避難用開口を開閉するスクリーンドア６が開閉可能に設けてあり、スクリーンドア６を開放することで、防火スクリーン４に避難用開口を形成するように構成されている。
【００１３】
防火スクリーン４は、本体シート４０と、本体シート４０の下端に設けた本体部座板７とから構成されている。スクリーンドア６は、ドアシート６０と、ドアシート６０の下端に設けたドア用座板８とから構成されている。本体シート４０及びドアシート６０は共にシリカ布等の耐火シートから構成されている。
【００１４】
スクリーンドア６は、ドアシート６の戸尻側を本体シート４０に縫着し、ドアシート６０の戸先側が、本体シート４０との間で所定幅の重なり部を形成するように、本体シート４０に装着されている。開口部閉鎖時には、スクリーンドア６のドアシート６０と防火スクリーン４の本体シート４０との間の重なり部によって、火災側と非火災側との間に連通孔が形成されるのを防止している。
【００１５】
防火スクリーン４の下端には、幅全体に延出する座板７が設けてある。座板７は、垂直状の面部からなる立ち上がり部７０と水平状の面部からなるフラット部７１とから略逆Ｔ形状の断面を有している。座板７は、立ち上がり部７０を介して本体シート４０の下端に連結されている。
【００１６】
立ち上がり部７０は、スクリーンドア６の下端に対応する部位において切り欠かれており、したがって、座板７は本体シート４０の幅全体に延出するフラット部７１とスクリーンドア６に対応する部位を切り欠いてなる立ち上がり部７０とから形成されている。すなわち、スクリーンドア６に対して、座板７のフラット部７１は下部ドア枠を構成している。
【００１７】
スクリーンドア６の下端には、座板７とは別体のドア部座板８が設けてある。ドア部座板８は、板状の立ち上がり部を有しており、立ち上がり部は、座板７の立ち上がり部７０と同様、垂直状の面部からなる。ドア部座板８は、上述した座板７の立ち上がり部７０の切り欠き部に対応して配設される。ドア部座板８の一方の端部（スクリーンドア６の戸先側に対応する端部）は自由端であり、一方、ドア部座板８の他方の端部（スクリーンドア６の戸尻側に対応する端部）は、座板７の立ち上がり部７０に傾斜丁番８０を介して回動可能に連結されている。
【００１８】
防火スクリーン４の下端の座板７のフラット部７１の下面には、障害物検知スイッチを構成する座板スイッチが設けてある。座板スイッチは、鋼製上枠９と、上枠９に対して上下動可能な鋼製下枠１０と、上枠９に設けたテープスイッチ１１と、下枠１０に設けた作動体１２と、を有し、下枠１０が障害物に接触して上枠９に対して相対的に上動することで、下枠１０に設けた作動体１２がテープスイッチ１１を押圧して、障害物を検知する。テープスイッチ１１は開口部上方部位に設けたコードリール１３のコード１３０に電気的に接続されており、座板スイッチによる検知信号は、コードリール１３のコード１３０を介して自動閉鎖装置に送信され、自動閉鎖装置が障害物検知信号を受信すると、ブレーキ手段を復帰させて巻取シャフト３の回転を規制して防火スクリーン４の降下を停止させる。
【００１９】
上枠９は、上面部９０と、上面部９０に一体形成されている対向状の側面部９１とを有し、側面部９１の長さ方向両端部には、水平片９２が形成されており、側面視ハット型を有している。尚、水平片９２は、上枠９の長さ方向に通しで形成されていてもよい。
【００２０】
下枠は１０、下面部１００と、下面部１００と一体形成されている対向状の側面部１０１と、側面部１０１の長さ方向に一体形成された水平片１０２とを有する。
【００２１】
下枠１０の水平片１０２を上枠９の水平片９２の載せるようにして、水平片１０２を水平片９２に係止させることで、下枠１０は上枠９に対して吊持可能となっており、下枠１０の高さ寸法（側面部１０１の高さ）内において、下枠１０は上枠９に対して上下動自在となっている。したがって、防火スクリーン４の降下中には、下枠１０は上枠９から吊持された状態であり、下枠１０が障害物に接触すると、下枠１０が上枠９に対して相対的に上動し、下枠１０に設けた作動体１２が上枠９に設けたテープスイッチ１１を押圧するようになっている。
【００２２】
上枠９と下枠１０とは、長さ方向両端部に設けたズレ止め部材１４によって、長さ方向の移動が規制されている。具体的には、ズレ止め部材１４を下枠１０の長さ方向端部に固定し、ズレ止め部材１４の端部に形成された片１４０が上枠９の水平片９２に当接することで、下枠１０に対して上枠９が長さ方向にズレることがないようにしてある。
【００２３】
上枠９は、上面部９０の上面を介して座板７のフラット部７１の下面に固着されており、上面部９０の下面には、上枠９の長さ方向に延出する長尺状のテープスイッチ１１が設けてある。テープスイッチ１１は、テープスイッチ本体とテープスイッチ本体が装着された枠体１１０とからなり、枠体１１０を介して上枠９の上面部９０の下面に固定されている。図から明らかなように、テープスイッチ本体は、枠体１１０より下方に突出している。
【００２４】
下枠１０の下面部１００の上面には、上下方向に弾性変形可能であると共に、テープスイッチ１１の長さ方向に間隔を存して複数の押圧部を有する作動手段が設けてある。図示の例では、作動手段は、テープスイッチ１１の長さ方向に間隔を存して下枠１０に配設された複数の作動体１２から構成されている。作動体１２は、上下方向に弾性変形可能であると共に、テープスイッチ１１に接触して押圧するための押圧部を備えている。押圧部は、テープスイッチ１１の長さ方向に間隔を存して複数配設されていると共に、テープスイッチ１１に対して局所的に接触する小面積の接触面を備えているので、テープスイッチ１１を局所的に押圧することができ、障害物検知をより確実に行うことができる。
【００２５】
作動体１２の本体は、板ばねから構成されており、左右の傾斜面１２０からなる立上がり部と、左右の傾斜面１２０の下端より一体的に水平状に延出する装着片１２１と、左右の傾斜面１２０の上端を連結する水平状の頂部１２２からなる。傾斜面１２０は下端から上端に向って漸次幅狭のテーパ状に形成されており、頂部１２２は、傾斜面１２０に比べて幅狭となっている。板ばねからなる本体は、上下方向に変形可能な態様で、下枠１０内に設けられる。
【００２６】
頂部１２２には、テープスイッチ１１を押圧する押圧部を構成する揺動板１２３が設けてある。揺動板１２３は、本体１２４と、本体１２４の裏面に装着される装着片１２５とを有している。本体１２４は、テープスイッチ１１の横幅方向に延出しており、テープスイッチ１１（枠体１１０を含む）の横幅寸法よりも若干大きい長さを有する長手板材である。本体１２４の上面がテープスイッチ１１に接触する接触面を構成している。装着片１２５は、全体として本体１２４と同じ長さ寸法を有する長手部材であるが、長さ方向中央部位に凹部１２６が形成されている。
【００２７】
揺動板１２３は、本体１２４を頂部１２２の上に載せた状態で、頂部１２２を下方側から挟むようにして装着片１２５をあてがい、本体１２４と装着片１２５とを固着することで、本体１２４の下面と装着片１２５の凹部１２６との間の空間Ｓに頂部１２２を受け入れた状態で、板ばねから構成される作動体本体に取り付けられる。
【００２８】
作動体１２の本体の頂部１２２を受け入れる空間Ｓは、クリアランスを設けて本体の頂部１２２を受け入れるような寸法を有している。具体的には、図９に示すように、空間Ｓは、上下方向、及び、横幅方向において、頂部１２２の外形よりも大きい寸法を有しており、テープスイッチ１１の横幅方向に延出する揺動板１２３は、頂部１２２に対して上下方向に揺動自在となっている。また、頂部１２２と空間Ｓとのクリアランスは、揺動板１２３の過度の揺動ないし回動を規制する程度の寸法に設定されている。すなわち、揺動板１２３が空間Ｓ内で適当に揺動すると、揺動板１２３が空間Ｓを形成する面部に当接して、それ以上の揺動が規制されるように構成されている。したがって、図４、図５に示すように、下枠１０に障害物が斜め方向から当たって下枠１０が上枠９に対して傾動しながら上動した場合には、下枠１０の傾動に伴って揺動する揺動板１２３の一端がテープスイッチ１１の枠体１１０に当接し、この時、頂部１２２が揺動板１２３の本体１２４の下面に当接することで揺動板１２３のさらなる揺動が規制されており（図４）、揺動板１２３は当該当接点を支点として上方に揺動しながらテープスイッチ１１を押圧する（図５）。また、作動体１２の本体の傾斜部１２０と頂部１２２との境界には段部１２２Ａが形成されており、揺動板１２３のテープスイッチ１１の長さ方向への移動を規制している。また、一つの好ましい実施形態では、図１１に示すように、上枠９、下枠１０をテープスイッチ１１の長さ方向に分割することで、短尺状の上枠９及び下枠１０と、上枠９と下枠１０の両端部間に設けた作動部１２とから座板スイッチのユニットが形成されており、座板スイッチユニットはテープスイッチ１１の長さ方向に連設されている。各座板スイッチユニットは独立して作動可能に構成されており、障害物検知をより良好に行うことを可能としている。
【００２９】
図１３乃至図１６に、本発明の他の実施例を示す。シャッターカーテン下端の座板７００の下面には、障害物検知スイッチを構成する座板スイッチが設けてある。座板スイッチは、鋼製上枠９と、上枠９に対して上下動可能な鋼製下枠１０と、上枠９に設けたテープスイッチ１１と、下枠１０に設けた作動体１２と、を有し、下枠１０が障害物に接触して上枠９に対して相対的に上動することで、下枠１０に設けた作動体１２がテープスイッチ１１を押圧して、障害物を検知する。当該実施例の基本的な構成は、座板７００の構成を除いて、前述の実施例と同様であり、同じ部材には同じ符号が付してあり、同じ符号が付された部材については、前述の記載を転用することが可能である。
【産業上の利用可能性】
【００３０】
本発明は、防火用シートシャッター装置の座板の下面に設ける座板スイッチに利用することができる。
【図面の簡単な説明】
【００３１】
【図１】防火用シートシャッターの全体正面図である。
【図２】防火用シートシャッターの下端部位の断面図であり、座板下面に固定した上枠に対して下枠が吊持された状態を示す。図において、シートは省略されている。
【図３】防火用シートシャッターの下端部位の断面図であり、図２の状態から、下枠が上枠に対して水平状に上動した状態（水平作動時）を示す。
【図４】防火用シートシャッターの下端部位の断面図であり、図２の状態から、下枠が障害物に片当たりして、上枠に対して上動（傾動）した状態（片当たり作動直前）を示す。
【図５】図４の状態から、テープスイッチが押圧された状態（片当たり作動時）を示す。
【図６】防火用シートシャッターのスクリーンドア基端側の下端部位を示す図であり、左図は、座板下面に固定した上枠に対して下枠が吊持された状態を示し、右図は、右図の状態から、下枠が上枠に対して水平状に上動した状態を示す。
【図７】検知部の枠体の構成要素を示す図であり、左図は上枠、中央図はズレ止め部材、右図は下枠である。上枠、下枠については、長さ方向中間部位を一部省略してある。
【図８】作動体の平面図及び側面図である。
【図９】作動体本体の頂部を受け入れた状態での揺動板の側面図である。
【図１０】作動体本体に対する揺動板の揺動を示す作動体の側面図である。
【図１１】シャッターカーテン下端部位を示す部分正面図である。
【図１２】図１１の部分拡大図である。
【図１３】他の実施例に係るシートシャッターの下端部位の断面図であり、座板下面に固定した上枠に対して下枠が吊持された状態を示す。
【図１４】シートシャッターの下端部位の断面図であり、図１３の状態から、下枠が上枠に対して水平状に上動した状態（水平作動時）を示す。
【図１５】シートシャッターの下端部位の断面図であり、図１３の状態から、下枠が障害物に片当たりして、上枠に対して上動（傾動）した状態（片当たり作動直前）を示す。
【図１６】図１５の状態から、テープスイッチが押圧された状態（片当たり作動時）を示す。
【符号の説明】
【００３２】
７，７００  座板
９  鋼製上枠
１０  鋼製下枠
１１  テープスイッチ
１２  作動体
１２３  揺動板
【図１】
0004638285.tif 000002
【図２】
0004638285.tif 000003
【図３】
0004638285.tif 000004
【図４】
0004638285.tif 000005
【図５】
0004638285.tif 000006
【図６】
0004638285.tif 000007
【図７】
0004638285.tif 000008
【図８】
0004638285.tif 000009
【図９】
0004638285.tif 000010
【図１０】
0004638285.tif 000011
【図１１】
0004638285.tif 000012
【図１２】
0004638285.tif 000013
【図１３】
0004638285.tif 000014
【図１４】
0004638285.tif 000015
【図１５】
0004638285.tif 000016
【図１６】
0004638285.tif 000017